(57)【特許請求の範囲】
【請求項１】
第１の部屋（４ａ）にインターホン親機(５ａ)および電話機（６）が設置され、第２の部屋（４ｂ）に増設インターホン親機（５ｂ）および携帯電話機(７)が設置されるインターホン・電話装置であって、
前記インターホン親機、前記増設インターホン親機に、電波の送受を行なう親機ＲＦトランシーバー回路(５４ａ、５４ｂ)、データを変復調するベースバンド処理回路(５３ａ、５３ｂ)、データの認識・制御を行なう親機ＣＰＵ(５１ａ、５１ｂ)、予め記憶させておいた機器アドレス、呼出音、画面表示データを格納した親機ＲＯＭ(５２ａ、５２ｂ)、着信や呼出表示を行なう液晶ディスプレイ(５９ａ、５９ｂ)、画面が押下されたことを認識するタッチパネル(５８ａ、５８ｂ)、前記インターホン親機および増設インターホン親機間でデータのやり取りを行なうインターホンインターフエース(５０ａ、５０ｂ)を設け、
前記電話機、前記携帯電話機に、電波の送受を行なう電話機ＲＦトランシーバー回路(６４、７４ｂ)、データを変復調するベースバンド処理回路(６３、７３ｂ)、データの認識・制御を行なう電話機ＣＰＵ(６１、７１)、予め記憶させておいた機器アドレス、呼出音、画面表示データを格納した電話機ＲＯＭ(６２、７２)、音声のＡ−Ｄ、Ｄ−Ａ変換を行なうコーデック（６５、７５）を設け、
前記電話機にかかってきた呼出信号を、前記電話機の電話機ＲＦトランシーバー回路および前記インターホン親機の親機ＲＦトランシーバー回路を通じて前記インターホン親機の親機ＣＰＵに送り、かつ前記インターホン親機の親機ＣＰＵで検出した呼出信号を、前記インターホン親機のインターホンインターフエースを通じて前記増設インターホン親機のインターホンインターフエースに送り、
前記携帯電話機にかかってきた呼出信号を、前記携帯電話機の電話機ＲＦトランシーバー回路および前記増設インターホン親機の親機ＲＦトランシーバー回路を通じて前記増設インターホン親機の親機ＣＰＵに送り、かつ前記増設インターホン親機の親機ＣＰＵで検出した呼出信号を、前記増設インターホン親機のインターホンインターフエースを通じて前記インターホン親機のインターホンインターフエースに送ることを特徴とするインターホン・電話装置。
【請求項２】
前記インターホン親機、前記増設インターホン親機の液晶ディスプレイの表示画面(９)に、オフフックを行なうオフフックボタン（９１）、オンフックを行なうオンフックボタン(９３)、保留を行なう保留ボタン(９２)、電話番号をキー入力するテンキー(９４)、接続できる機器名称を表したボタン（９５、９６、９７）を設けることを特徴とする請求項１記載のインターホン・電話装置。
【発明の詳細な説明】
【０００１】
【発明の属する技術分野】
【０００２】
本発明は、インターホン親機や増設インターホン親機を有するインターホン装置および電話機や携帯電話機を有する電話装置（以下「インターホン・電話装置」という。）の改良に係わり、特にインターホン親機や増設インターホン親機と電話機や携帯電話機間で音声やデータの交換を行い得るインターホン・電話装置に関する。
【従来の技術】
【０００３】
従来から、この種のインターホン・電話装置を有する住戸として、図３に示すようなものが知られている。
【０００４】
同図において、住戸１００は、第１の伝送線路Ｌ１００を介して電話網２００に接続され、この電話網２００は、第２の伝送線路Ｌ２００を介して携帯基地局３００に接続されている。
【０００５】
住戸１００は、第１〜第３の部屋４００ａ〜４００ｃを備えており、第１の部屋４００ａには、インターホン親機５００ａおよび電話機６００が、第２の部屋４００ｂには、第１の増設インターホン親機５００ｂおよび携帯電話機７００が、第３の部屋４００ｃには、第２の増設インターホン親機５００ｃがそれぞれ設置されている。また、住戸１００の玄関先には、ドアホン子機８００が設置されており、このドアホン子機８００には、第３の伝送線路Ｌ３００を介してインターホン親機５００ａおよび第１、第２の増設インターホン親機５００ｂ、５００ｃが接続されている。なお、第１の部屋４００ａ内には第１の居住者Ｈａが、第３の部屋４００ｃ内には第２の居住者Ｈｂが在宅している。
【０００６】
しかして、このような構成のインターホン・電話装置を有する住戸において、電話網２００を介して電話機６００にかかってきた電話を第２の居住者Ｈｂに取り次ぐ場合においては、第１の居住者Ｈａがインターホン親機５００ａおよび第２の増設インターホン親機５００ｃを介して第２の居住者Ｈｂを呼び出して、第２の居住者Ｈｂに対して電話がかかっていることを知らせる。そうすると、第２の居住者Ｈｂは、第３の部屋４００ｃから第１の部屋４００ａに移動し、電話機６００で通話を行なう。また、最寄りの携帯基地局３００を介して携帯電話機７００に電話がかかってきた場合は、第２の部屋４００ｂ内に居住者が居ないことから、携帯電話機７００の呼出音を確認した第１の居住者Ｈａ若しくは第２の居住者Ｈｂが第２の部屋４００ｂに移動し、携帯電話機７００で通話を行なうことになる。
【０００７】
一方、来訪者がドアホン子機８００を介して呼出を行なうと、呼出信号を通じてインターホン親機５００ａおよび第１、第２の増設インターホン親機５００ｂ、５００ｃが呼び出され、これにより、来訪者と第１の居住者Ｈａ若しくは第２の居住者Ｈｂ間で呼出・応答が行なわれる。
【発明が解決しようとする課題】
【０００８】
しかしながら、このような構成のインターホン・電話装置においては、電話網や携帯基地局を介して電話機や携帯電話機に電話がかかってきた場合、インターホン親機や増設インターホン親機に、電話機や携帯電話機にかかってきた呼出信号を送出する手段が搭載されていないことから、電話機や携帯電話機の近くに居る人が応対するか若しくは電話機や携帯電話機の近くに人が居ない場合は応対することができないという難点があった。また、電話機や携帯電話機の近くに居る人が応対するにしても、インターホン親機や増設インターホン親機を通じて相手を呼出すことが必要であり、さらに、呼出された人は、電話機や携帯電話機が所在する場所まで移動しなければならないという難点があった。
【０００９】
本発明は、このような難点を解決するためになされたもので、何れの部屋に設置してあるインターホン親機や増設インターホン親機からでも、何れの部屋に設置してある電話機や携帯電話機を介して電話の呼出・応対ができるインターホン・電話装置を提供することを目的としている。
【課題を解決するための手段】
【００１０】
上記の目的を解決するために、本発明の第１の態様であるインターホン・電話装置は、第１の部屋にインターホン親機および電話機が設置され、第２の部屋に増設インターホン親機および携帯電話機が設置されるインターホン・電話装置であって、インターホン親機、増設インターホン親機に、電波の送受を行なう親機ＲＦトランシーバー回路、データを変復調するベースバンド処理回路、データの認識・制御を行なう親機ＣＰＵ、予め記憶させておいた機器アドレス、呼出音、画面表示データを格納した親機ＲＯＭ、着信や呼出表示を行なう液晶ディスプレイ、画面が押下されたことを認識するタッチパネル、インターホン親機および増設インターホン親機間でデータのやり取りを行なうインターホンインターフエースを設け、電話機、携帯電話機に、電波の送受を行なう電話機ＲＦトランシーバー回路、データを変復調するベースバンド処理回路、データの認識・制御を行なう電話機ＣＰＵ、予め記憶させておいた機器アドレス、呼出音、画面表示データを格納した電話機ＲＯＭ、音声のＡ−Ｄ、Ｄ−Ａ変換を行なうコーデックを設け、電話機にかかってきた呼出信号を、電話機の電話機ＲＦトランシーバー回路およびインターホン親機の親機ＲＦトランシーバー回路を通じてインターホン親機の親機ＣＰＵに送り、かつインターホン親機の親機ＣＰＵで検出した呼出信号を、インターホン親機のインターホンインターフエースを通じて増設インターホン親機のインターホンインターフエースに送り、携帯電話機にかかってきた呼出信号を、携帯電話機の電話機ＲＦトランシーバー回路および増設インターホン親機の親機ＲＦトランシーバー回路を通じて増設インターホン親機の親機ＣＰＵに送り、かつ増設インターホン親機の親機ＣＰＵで検出した呼出信号を、増設インターホン親機のインターホンインターフエースを通じてインターホン親機のインターホンインターフエースに送るものである。
【００１１】
また、本発明の第２の態様は、第１の態様であるインターホン・電話装置において、インターホン親機、増設インターホン親機の液晶ディスプレイの表示画面に、オフフックを行なうオフフックボタン、オンフックを行なうオンフックボタン、保留を行なう保留ボタン、電話番号をキー入力するテンキー、接続できる機器名称を表したボタンを設けるものである。
【００１２】
本発明のインターホン・電話装置によれば、電話機や携帯電話機にかかってきた呼出信号をインターホン親機や増設インターホン親機に送出することができることから、何れの部屋に設置してあるインターホン親機や増設インターホン親機からでも、何れの部屋に設置してある電話機や携帯電話機を介して電話の呼出・応対を行なうことができる。
【発明の実施の形態】
【００１３】
以下、本発明のインターホン・電話装置を適用した好ましい実施の形態例について、図面を参照して詳述する。
【００１４】
図１は、本発明のインターホン・電話装置のシステム構成図を示している。同図において、本発明のインターホン・電話装置を有する住戸１は、第１の伝送線路Ｌ１を介して電話網２に接続され、この電話網２は、第２の伝送線路Ｌ２を介して第１の携帯基地局３に接続されている。
【００１５】
しかして、住戸１は、第１〜第３の部屋４ａ〜４ｃを備えており、第１の部屋４ａには、インターホン親機５ａおよび電話機６が、第２の部屋４ｂには、第１の増設インターホン親機５ｂおよび第１の携帯電話機７が、第３の部屋４ｃには、第２の増設インターホン親機５ｃがそれぞれ設置されている。また、住戸１の玄関先には、ドアホン子機８が設置されており、このドアホン子機８には、第３の伝送線路Ｌ３を介してインターホン親機５ａおよび第１、第２の増設インターホン親機５ｂ、５ｃが接続されている。なお、従来のインターホン・電話装置を有する住戸１０は、第４の伝送線路Ｌ４を介して電話網２に接続され、この電話網２は、第５の伝送線路Ｌ５を介して第２の携帯基地局１１に接続されている。
【００１６】
電話機６は、電話網インターフエース６０と、データの認識・制御を行なうＣＰＵ６１（以下「電話機ＣＰＵ６１」という。）と、予め記憶させておいた機器アドレス、呼出音、画面表示データを格納したＲＯＭ６２（以下「電話機ＲＯＭ６２」という。）と、データを変復調するベースバンド処理回路６３（以下「電話機ベースバンド処理回路６３」という。）と、電波の送受を行なうＲＦトランシーバー回路６４（以下「電話機ＲＦトランシーバー回路６４」という。）と、音声のＡ−Ｄ、Ｄ−Ａ変換を行なうコーデック６５（以下「電話機コーデック６５」という。）と、電話機スピーカ６６と、電話機マイク６７とを備えている。ここで、電話機ＣＰＵ６１は、電話網インターフエース６０、電話機ＲＯＭ６２、電話機ベースバンド処理回路６３および電話機コーデック６５に接続され、電話機ベースバンド処理回路６３には電話機ＲＦトランシーバー回路６４が接続され、電話機コーデック６５には電話機スピーカ６６および電話機マイク６７が接続されている。また、電話網インターフエース６０には第１の伝送線路Ｌ１を介して電話網２が接続されている。
【００１７】
第１の携帯電話機７は、データの認識・制御を行なうＣＰＵ７１（以下「携帯電話機ＣＰＵ７１」という。）と、予め記憶させておいた機器アドレス、呼出音、画面表示データを格納したＲＯＭ７２（以下「携帯電話機ＲＯＭ７２」という。）と、データを変復調する第１、第２のベースバンド処理回路７３ａ、７３ｂ（以下「第１、第２の携帯電話機ベースバンド処理回路７３ａ、７３ｂ」という。）と、電波の送受を行なう第１、第２のＲＦトランシーバー回路７４ａ、７４ｂ（以下「第１、第２の携帯電話機ＲＦトランシーバー回路７４ａ、７４ｂ」という。）と、音声のＡ−Ｄ、Ｄ−Ａ変換を行なうコーデック７５（以下「携帯電話機コーデック７５」という。）と、携帯電話機スピーカ７６と、携帯電話機マイク７７とを備えている。ここで、携帯電話機ＣＰＵ７１は、携帯電話機ＲＯＭ７２、第１、第２の携帯電話機ベースバンド処理回路７３ａ、７３ｂおよび携帯電話機コーデック７５に接続され、第１の携帯電話機ベースバンド処理回路７３ａには第１の携帯電話機ＲＦトランシーバー回路７４ａが接続され、第２の携帯電話機ベースバンド処理回路７３ｂには第２の携帯電話機ＲＦトランシーバー回路７４ｂが接続されている。また、携帯電話機コーデック７５には第１の携帯電話機ベースバンド処理回路７３ａ、携帯電話機スピーカ７６および携帯電話機マイク７７が接続されている。
【００１８】
インターホン親機５ａは、各機器間でデータのやり取りを行なうインターフエース５０ａ（以下「親機インターホンインターフエース５０ａ」という。）と、データの認識・制御を行なうＣＰＵ５１ａ（以下「親機ＣＰＵ５１ａ」という。）と、予め記憶させておいた機器アドレス、呼出音、画面表示データを格納したＲＯＭ５２ａ（以下「親機ＲＯＭ５２ａ」という。）と、データを変復調するベースバンド処理回路５３ａ（以下「親機ベースバンド処理回路５３ａ」という。）と、電波の送受を行なうＲＦトランシーバー回路５４ａ（以下「親機ＲＦトランシーバー回路５４ａ」という。）と、音声のＡ−Ｄ、Ｄ−Ａ変換を行なうコーデック５５ａ（以下「親機コーデック５５ａ」という。）と、親機スピーカ５６ａと、親機マイク５７ａと、画面が押下されたことを認識するタッチパネル５８ａ（以下「親機タッチパネル５８ａ」という。）と、着信や呼出表示を行なう液晶ディスプレイ５９ａ（以下「親機液晶ディスプレイ５９ａ」という。）とを備えている。ここで、親機ＣＰＵ５１ａは、親機インターホンインターフエース５０ａ、親機ＲＯＭ５２ａ、親機ベースバンド処理回路５３ａ、親機コーデック５５ａ、親機タッチパネル５８ａおよび親機液晶ディスプレイ５９ａに接続され、親機ベースバンド処理回路５３ａには親機ＲＦトランシーバー回路５４ａが接続され、また、親機コーデック５５ａには親機スピーカ５６ａおよび親機マイク５７ａが接続されている。
【００１９】
第１、第２の増設インターホン親機５ｂ、５ｃは、それぞれ同様な構成であって、第１の増設インターホン親機５ｂは、各機器間でデータのやり取りを行なうインターフエース５０ｂ（以下「増設親機インターホンインターフエース５０ｂ」という。）と、データの認識・制御を行なうＣＰＵ５１ｂ（以下「増設親機ＣＰＵ５１ｂ」という。）と、予め記憶させておいた機器アドレス、呼出音、画面表示データを格納したＲＯＭ５２ｂ（以下「増設親機ＲＯＭ５２ｂ」という。）と、データを変復調するベースバンド処理回路５３ｂ（以下「増設親機ベースバンド処理回路５３ｂ」という。）と、電波の送受を行なうＲＦトランシーバー回路５４ｂ（以下「増設親機ＲＦトランシーバー回路５４ｂ」という。）と、音声をＡ−Ｄ、Ｄ−Ａ変換するコーデック５５ｂ（以下「増設親機コーデック５５ｂ」という。）と、増設親機スピーカ５６ｂと、増設親機マイク５７ｂと、画面が押下されたことを認識するタッチパネル５８ｂ（以下「増設親機タッチパネル５８ｂ」という。）と、着信や呼出表示を行なう液晶ディスプレイ５９ｂ（以下「増設親機液晶ディスプレイ５９ｂ」という。）とを備えている。ここで、増設親機ＣＰＵ５１ｂは、増設親機インターホンインターフエース５０ｂ、増設親機ＲＯＭ５２ｂ、増設親機ベースバンド処理回路５３ｂ、増設親機コーデック５５ｂ、増設親機タッチパネル５８ｂおよび増設親機液晶ディスプレイ５９ｂに接続され、増設親機ベースバンド処理回路５３ｂには増設親機ＲＦトランシーバー回路５４ｂが接続され、また、増設親機コーデック５５ｂには増設親機ベースバンド処理回路５３ｂ、増設親機スピーカ５６ｂおよび増設親機マイク５７ｂが接続されている。
【００２０】
ドアホン子機８は、各機器間でデータのやり取りを行なうインターフエース８０（以下「子機インターフエース８０」という。）と、この子機インターフエース８０に接続された子機スピーカ８６および子機マイク８７とを備えている。ここで、子機インターフエース８０は、第３の伝送線路Ｌ３を介して親機インターホンインターフエース５０ａ、第１、第２の増設インターホン親機の各インターホンインターフエース５０ｂに接続されている。
【００２１】
図２は、本発明におけるインターホン・電話装置の液晶ディスプレイの表示画面を示している。同図において、インターホン親機５ａおよび第１の増設インターホン親機５ｂの液晶ディスプレイ５９ａ、５９ｂの表示画面９上部には、住戸１にかかってきた電話を着信した機器の名称を表示する機器表示部９０が表れており、その機器表示部９０の下段には、オフフックを行なうオフフックボタン９１、保留を行なう保留ボタン９２およびオンフックを行なうオンフックボタン９３が表れている。また、表示画面９の下半部右側には、電話番号をキー入力するテンキー９４が表れ、更に、このテンキー９４の左側には、接続できる機器名称を表した携帯電話機ボタン９５、電話機ボタン９６およびその他ボタン９７が表れている。
【００２２】
次に、このような構成のインターホン・電話装置の動作について説明する。なお、ドアホン子機８からの呼出信号を通じてインターホン親機５ａおよび第１、第２の増設インターホン親機５ｂ、５ｃが呼び出される点は、従来のインターホン装置と同様であることから詳細な説明を省略する。
【００２３】
先ず、従来のインターホン・電話装置を有する住戸１０から本発明のインターホン・電話装置を有する住戸１へ電話をかけると、住戸１０の電話機（不図示）から呼出信号が出力され、この呼出信号が第４の伝送線路Ｌ４、電話網２、第１の伝送線路Ｌ１および電話網インターフエース６０を介して（以下、この第４の伝送線路Ｌ４、電話網２、第１の伝送線路Ｌ１および電話網インターフエース６０の回線を「電話回線」という。）、本発明に係る住戸１の電話機ＣＰＵ６１へ送出される。そして、かかる呼出信号が電話機ＣＰＵ６１で検出されると、電話機ＲＯＭ６２から予め記憶させておいた電話機６の機器アドレス、呼出音および画面表示データが読み出され、電話機ＣＰＵ６１から機器アドレスおよび画面表示データを含有する呼出信号並びに着信メロディ信号が出力される。しかして、前者の機器アドレスおよび画面表示データを含有する呼出信号は電話機ベースバンド処理回路６３へ送出され、この電話機ベースバンド処理回路６３において高周波信号に変調され、電話機ＲＦトランシーバー回路６４から電波として放射されて親機ＲＦトランシーバー回路５４ａで受信される。また、後者の着信メロディ信号は電話機コーデック６５へ送出され、この電話機コーデック６５において着信メロディ信号がＤ―Ａ変換される。これにより、電話機スピーカ６６から着信メロディが鳴動する。
【００２４】
一方、親機ＲＦトランシーバー回路５４ａで受信された信号は、親機ベースバンド処理回路５３ａにおいてベースバンド信号に変換され、この変換された信号は、親機ＣＰＵ５１ａへ送出される。そして、この変換された信号が親機ＣＰＵ５１ａで検出されると、親機ＲＯＭ５２ａから予め記憶されている機器アドレスが読み出され、この読み出された機器アドレスと受信した機器の機器アドレスとが比較される。この実施例においては、電話機６の機器アドレスが認識され、これにより、親機ＲＯＭ５２ａから画面表示データが読み出され、親機ＣＰＵ５１ａから電話機６の画面表示信号が出力され、この画面表示信号が親機液晶ディスプレイ５９ａへ送出される。これにより、図２に示すように、親機液晶ディスプレイ５９ａの表示画面９の機器表示部９０上に、「電話機 着信」の画面が表れる。また、これと共に、親機ＲＯＭ５２ａから電話機６の機器アドレス、呼出音および画面表示データが読み出され、親機ＣＰＵ５１ａから機器アドレスおよび画面表示データを含有する呼出信号および着信メロディ信号が出力される。しかして、前者の機器アドレスおよび画面表示データを含有する呼出信号は、親機インターホンインターフエース５０aを介して、第１の増設インターホン親機５ｂの増設親機インターホンインターフエース５０ｂへ送出される。また、後者の着信メロディ信号は親機コーデック５５ａへ送出され、この親機コーデック５５ａにおいて音声がＤ―Ａ変換される。これにより、親機スピーカ５６ａから着信メロディが鳴動する。
【００２５】
一方、電話機６からの呼出信号が第１の増設インターホン親機５ｂの増設親機インターホンインターフエース５０ｂで受信され、かかる呼出信号が増設親機ＣＰＵ５１ｂで検出されると、インターホン親機５ａと同様に、増設親機ＲＯＭ５２ｂから機器アドレス、呼出音および画面表示データが読み出される。これにより、インターホン親機５ａと同様に、増設親機液晶ディスプレイ５９ｂの表示画面９の機器表示部９０上に、「電話機 着信」の画面が表れ、また、増設親機スピーカ５６ｂから着信メロディが鳴動する。
【００２６】
なお、第２の増設インターホン親機５ｃも、第１の増設インターホン親機５ｂと同様に動作する。
【００２７】
以上の一連の動作により、電話機スピーカ６６、親機スピーカ５６ａおよび第１、第２の増設親機スピーカ５６ｂから着信メロディが鳴動することになる。
【００２８】
一方、第２の部屋４ｂに居る居住者（不図示）が電話で応対する場合は、第１の増設インターホン親機５ｂの増設親機液晶ディスプレイ５９ｂの表示画面９上に表示されているオフフックボタン９１をタッチ操作する。そうすると、増設親機タッチパネル５８ｂの座標データが増設親機ＣＰＵ５１ｂで検出され、増設親機ＣＰＵ５１ｂからオフフック信号が出力され、このオフフック信号が増設親機インターホンインターフエース５０ｂ、親機インターホンインターフエース５０ａおよび親機ＣＰＵ５１ａを介して親機ベースバンド信号処理回路５３ａへ送出され、この親機ベースバンド信号処理回路５３ａにおいて高周波信号に変調され、親機ＲＦトランシーバー回路５４ａから電波として放射されて電話機ＲＦトランシーバー回路６４で受信される。そして、電話機ＲＦトランシーバー回路６４で受信された信号は、電話機ベースバンド処理回路６３においてベースバンド信号に変換され、この変換された信号が電話機ＣＰＵ６１で検出されると、電話機ＣＰＵ６１から復調されたオフフック信号が出力され、この復調されたオフフック信号が電話回線を介して住戸１０へ送出される。
【００２９】
以上により、従来の住戸１０と本発明に係る住戸１が接続されると共に、住戸１０の電話機から接続信号が出力され、この接続信号が電話回線を介して電話機ＣＰＵ６１へ送出される。そして、電話機ＣＰＵ６１が接続信号を検出すると、電話機ＣＰＵ６１からコーデック動作信号および接続完了信号が出力され、前者のコーデック動作信号が電話機コーデック６５へ送出される。これにより音声回路が開かれる。
【００３０】
また、後者の接続完了信号は、前述の呼出信号と同様の経路を介して、インターホン親機５ａの親機ＣＰＵ５１ａおよび第１、第２の増設インターホン親機５ｂの増設親機ＣＰＵ５１ｂへ送出される。そして、かかる接続完了信号が増設親機ＣＰＵ５１ｂで検出されると、前述の電話機６と同様に、増設親機ＣＰＵ５１ｂの制御により増設親機コーデック５５ｂが動作し、音声回路が開かれる。
【００３１】
ここで、第２の部屋４ｂに居る居住者が増設親機スピーカ５６ｂおよび増設親機マイク５７ｂを使用することにより、インターホン回線および電話回線を介して住戸１０の居住者と通話を行なうことができる。
【００３２】
次に、電話回線を切断する場合は、第２の部屋４ｂに居る居住者が、第１の増設インターホン親機５ｂの増設親機液晶ディスプレイ５９ｂの表示画面９上に表示されているオフフックボタン９１をタッチ操作する。そうすると、増設親機タッチパネル５８ｂの座標データが増設親機ＣＰＵ５１ｂで検出され、増設親機ＣＰＵ５１ｂからオンフック信号が出力され、このオンフック信号が前述のオフフック信号と同様の経路を経由して住戸１０へ送出される。
【００３３】
これにより、従来の住戸１０と本発明に係る住戸１との接続が遮断されると共に、住戸１０の電話機から遮断信号が出力され、この遮断信号が電話回線を介して電話機ＣＰＵ６１へ送出される。そして、電話機ＣＰＵ６１が遮断信号を検出すると、電話機ＣＰＵ６１からコーデック停止信号および接続遮断信号が出力され、前者のコーデック停止信号が電話機コーデック６５へ送出される。これにより音声回路が閉じられる。また、後者の接続遮断信号は、前述の接続完了信号と同様の経路を経由して、インターホン親機５ａの親機ＣＰＵ５１ａおよび第１、第２の増設インターホン親機５ｂの増設親機ＣＰＵ５１ｂへ送出される。そして、かかる接続遮断信号が増設親機ＣＰＵ５１ｂで検出されると、前述の電話機６と同様に、増設親機ＣＰＵ５１ｂの制御により増設親機コーデック５５ｂの動作が停止し、音声回路が閉じられ、ひいては従来の住戸１０と本発明に係る住戸１間のインターホン回線および電話回線が遮断される。
【００３４】
次に、従来の携帯電話機１２から本発明に係る携帯電話機７を呼出す場合について説明する。先ず、従来の携帯電話機１２で所定の呼出操作を行なうと、この携帯電話機１２から呼出信号が出力され、この呼出信号が第２の携帯基地局１１、第５の伝送線路Ｌ５、電話網２および第２の伝送線路Ｌ２を介して（以下、この第２の携帯基地局１１、第５の伝送線路Ｌ５、電話網２および第２の伝送線路Ｌ２の回線を「携帯電話回線」という）、第１の携帯基地局３へ送出される。そうすると、第１の携帯基地局３において呼出信号が高周波信号に変換され、第１の携帯基地局３から電波として放射されて第１の携帯電話機ＲＦトランシーバー回路７４ａで受信される。しかして、第１の携帯電話機ＲＦトランシーバー回路７４ａで受信された信号は、第１の携帯電話機ベースバンド処理回路７３ａにおいてベースバンドに変換され、この変換された信号が携帯電話機ＣＰＵ７１で検出されると、携帯電話機ＲＯＭ７２から予め記憶させておいた携帯電話機７の機器アドレス、呼出音および画面表示データが読み出され、携帯電話機ＣＰＵ７１から機器アドレスおよび画面表示データを含有する呼出信号並びに着信メロディ信号が出力される。しかして、前者の機器アドレスおよび画面表示データを含有する呼出信号は第２の携帯電話機ベースバンド処理回路７３ｂへ送出され、この第２の携帯電話機ベースバンド処理回路７３ｂにおいて高周波信号に変調され、第２の携帯電話機ＲＦトランシーバー回路７３ｂから電波として放射されて第１の増設インターホン親機５ｂの増設親機ＲＦトランシーバー回路５４ｂで受信される。また、後者の着信メロディ信号は、携帯電話機コーデック７５へ送出され、この携帯電話機コーデック７５において着信メロディ信号がＤ―Ａ変換される。これにより、携帯電話機スピーカ７６から着信メロディが鳴動する。
【００３５】
一方、増設親機ＲＦトランシーバー回路５４ｂで受信された信号は、増設親機ベースバンド処理回路５３ｂにおいてベースバンド信号に変換され、この変換された信号が増設親機ＣＰＵ５１ｂで検出されると、増設親機ＲＯＭ５２ｂから予め記憶されている機器アドレスが読み出され、この読み出された機器アドレスと受信した機器の機器アドレスとが比較される。この実施例においては、携帯電話機７の機器アドレスが認識され、これにより、増設親機ＲＯＭ５２ｂから画面表示データが読み出され、増設親機ＣＰＵ５１ｂから携帯電話機７の画面表示信号が出力され、この画面表示信号が増設親機液晶ディスプレイ５９ｂへ送出される。これにより、増設親機液晶ディスプレイ５９ｂの表示画面９の機器表示部９０上に、「携帯電話機 着信」の画面（不図示）が表れる。また、これと共に、増設親機ＲＯＭ５２ｂから携帯電話機７の機器アドレス、呼出音および画面表示データが読み出され、増設親機ＣＰＵ５１ｂから機器アドレスおよび画面表示データを含有する呼出信号および着信メロディ信号が出力される。しかして、前者の機器アドレスおよび画面表示データを含有する呼出信号は、増設親機インターホンインターフエース５０ｂを介して、インターホン親機５ａの親機インターホンインターフエース５０ａおよび第２の増設インターホン親機５ｃの増設親機インターホンインターフエース５０ｂへ送出される。また、後者の着信メロディ信号は増設親機コーデック５５ｂへ送出され、この増設親機コーデック５５ｂにおいて着信メロディ信号がＤ―Ａ変換される。これにより、増設親機スピーカ５６ｂから着信メロディが鳴動する。
【００３６】
一方、携帯電話機７からの呼出信号がインターホン親機５ａの親機インターホンインターフエース５０ａで受信され、かかる呼出信号が親機ＣＰＵ５１ａで検出されると、第１の増設インターホン親機５ｂと同様にして、親機ＲＯＭ５２ａから機器アドレス、着信メロディおよび画面表示データが読み出される。これにより、第１の増設インターホン親機５ｂと同様に、親機液晶ディスプレイ５９ａに、「携帯電話機 着信」の画面（不図示）が表示され、また、親機スピーカ５６ａから着信メロディが鳴動する。
【００３７】
なお、第２の増設インターホン親機５ｃも、インターホン親機５ａと同様に動作する。
【００３８】
以上の一連の動作により、携帯電話機スピーカ７６、第１、第２の増設親機スピーカ５６ｂおよび親機スピーカ５６ａから着信メロディが鳴動することになる。
【００３９】
一方、第１の部屋４ａにおいて、居住者（不図示）が電話で応対する場合は、インターホン親機５ａの増設親機液晶ディスプレイ５９ａ上に表示されているオフフックボタン９１の表示部を押下する。そうすると、親機タッチパネル５８ａの座標データが親機ＣＰＵ５１ａで検出され、親機ＣＰＵ５１ａからオフフック信号が出力され、このオフフック信号が親機インターホンインターフエース５０ａ、増設親機インターホンインターフエース５０ｂおよび増設親機ＣＰＵ５１ｂを介して増設親機ベースバンド信号処理回路５３ｂへ送出され、この増設親機ベースバンド信号処理回路５３ｂにおいて高周波信号に変調され、増設親機ＲＦトランシーバー回路５４ｂから電波として放射されて第２の携帯電話機ＲＦトランシーバー回路７４ｂで受信される。そして、第２の携帯電話機ＲＦトランシーバー回路７４ｂで受信された信号は、第２の携帯電話機ベースバンド処理回路７３ｂにおいてベースバンド信号に変換され、この変換された信号が携帯電話機ＣＰＵ７１で検出されると、携帯電話機ＣＰＵ７１から復調されたオフフック信号が出力され、この復調されたオフフック信号が携帯電話回線を介して従来の携帯電話機１２へ送出される。
【００４０】
以上により、従来の携帯電話機１２と本発明に係る携帯電話機３が接続されると共に、従来の携帯電話機１２から接続信号が出力され、この接続信号が電話回線を介して本発明に係る携帯電話機３の携帯電話機ＣＰＵ７１へ送出される。そして、携帯電話機ＣＰＵ７１が接続信号を検出すると、携帯電話機ＣＰＵ７１からコーデック動作信号および接続完了信号が出力され、前者のコーデック動作信号が携帯電話機コーデック７５へ送出される。これにより音声回路が開かれる。
【００４１】
また、後者の接続完了信号は、前述の呼出信号と同様の経路を経由して、第１、第２の増設インターホン親機５ｂの増設親機ＣＰＵ５１ｂおよびインターホン親機５ａの親機ＣＰＵ５１ａへ送出される。そして、かかる接続完了信号が親機ＣＰＵ５１ａで検出されると、前述の携帯電話機７と同様に、親機ＣＰＵ５１ａの制御により親機コーデック５５ａが動作し、音声回路が開かれる。
【００４２】
ここで、第１の部屋４ａに居る居住者が親機スピーカ５６ａおよび親機マイク５７ａを利用すれば、インターホン回線および携帯電話回線を介して従来の携帯電話機１１と通話を行なうことができる。
【００４３】
次に、携帯電話回線を切断する場合は、第１の部屋４ａに居る居住者が、インターホン親機５ａの親機液晶ディスプレイ５９ａ上の表示画面９上に表示されているオフフックボタン９１をタッチ操作する。そうすると、親機タッチパネル５８ａの座標データが親機ＣＰＵ５１ａで検出され、親機ＣＰＵ５１ａからオンフック信号が出力され、このオンフック信号が前述のオフフック信号と同様の経路を経由して携帯電話機１２へ送出される。
【００４４】
これにより、従来の携帯電話機１２と本発明に係る携帯電話機７との接続が遮断されると共に、携帯電話機１２から遮断信号が出力され、この遮断信号が携帯電話回線を介して携帯電話機ＣＰＵ７１へ送出される。そして、携帯電話機ＣＰＵ７１が遮断信号を検出すると、携帯電話機ＣＰＵ７１からコーデック停止信号および接続遮断信号が出力され、前者のコーデック停止信号が携帯電話機コーデック７５へ送出される。これにより音声回路が閉じられる。また、後者の接続遮断信号は、前述の接続完了信号と同様の経路を経由して、第１、第２の増設インターホン親機５ｂの増設親機ＣＰＵ５１ｂおよびインターホン親機５ａの親機ＣＰＵ５１ａへ送出される。そして、かかる接続遮断信号が親機ＣＰＵ５１ａで検出されると、前述の携帯電話機７と同様に、親機ＣＰＵ５１ａの制御により親機コーデック５５ａの動作が停止し、音声回路が閉じられ、ひいては従来の携帯電話機１２と本発明に係る携帯電話機７間のインターホン回線および携帯電話回線が遮断される。
【００４５】
なお、前述の実施例においては、電話機や携帯電話機にかかってきた呼出信号をインターホン親機や第１、第２の増設インターホン親機に送出する場合について述べているが、本発明はこれに限定されず、例えば、インターホン親機や第１、第２の増設インターホン親機のタッチパネルのタッチ操作により、電話をかけたり若しくは電話を受けたりすることができる。
【発明の効果】
【００４６】
以上の説明から明らかなように、本発明のインターホン・電話装置によれば、インターホン親機、増設インターホン親機、電話機および携帯電話機に、電波の送受を行なう親機ＲＦトランシーバー回路やベースバンド処理回路等が搭載されていることから、電話機や携帯電話機にかかってきた呼出信号をインターホン親機や増設インターホン親機に送出することができる。従って、本発明のインターホン・電話装置によれば、何れの部屋に設置してあるインターホン親機や増設インターホン親機からでも、何れの部屋に設置してある電話機や携帯電話機を介して電話の呼出・応対を行なうことができる。
【図面の簡単な説明】
【００４７】
【図１】本発明のインターホン・電話装置のシステム構成図。
【図２】本発明のインターホン・電話装置における液晶ディスプレイの表示画面図。
【図３】従来のインターホン・電話装置のシステム構成図。
【符号の説明】
【００４８】
５ａ・・・・・・インターホン親機
５０ａ・・・インターホンインターフエース（親機インターホンインターフエース）
５１ａ・・・親機ＣＰＵ
５２ａ・・・親機ＲＯＭ
５３ａ・・・ベースバンド処理回路（親機ベースバンド処理回路）
５４ａ・・・親機ＲＦトランシーバー回路
５８ａ・・・タッチパネル（親機タッチパネル）
５９ａ・・・液晶ディスプレイ（親機液晶ディスプレイ）
５ｂ、５ｃ・・増設インターホン親機
５０ｂ・・・インターホンインターフエース（増設親機インターホンインターフエース）
５１ｂ・・・親機ＣＰＵ（増設親機ＣＰＵ）
５２ｂ・・・親機ＲＯＭ（増設親機ＲＯＭ）
５３ｂ・・・ベースバンド処理回路（増設親機ベースバンド処理回路）
５４ｂ・・・親機ＲＦトランシーバー回路（増設親機ＲＦトランシーバー回路）
５８ｂ・・・タッチパネル（増設親機タッチパネル）
５９ｂ・・・液晶ディスプレイ（増設親機液晶ディスプレイ）
６・・・・・・電話機
６１・・・・電話機ＣＰＵ、
６２・・・・電話機ＲＯＭ
６３・・・・ベースバンド処理回路（電話機ベースバンド処理回路）
６４・・・・電話機ＲＦトランシーバー回路
６５・・・・コーデック（電話機コーデック）
７・・・・・・携帯電話機
７１・・・・電話機ＣＰＵ（携帯電話機ＣＰＵ）
７２・・・・電話機ＲＯＭ（携帯電話機ＲＯＭ）
７３ｂ・・・ベースバンド処理回路（携帯電話機ベースバンド処理回路）
７４ｂ・・・電話機ＲＦトランシーバー回路（携帯電話機ＲＦトランシーバー回路）
７５・・・・コーデック（携帯電話機コーデック）
９・・・・・・表示画面
９１・・・・オフフックボタン
９２・・・・保留ボタン
９３・・・・オンフックボタン
９４・・・・テンキー
【図１】
0004763181.tif 000002
【図２】
0004763181.tif 000003
【図３】
0004763181.tif 000004